(57)【要約】【課題】廃棄物である有機質系廃棄物の処理をする場合に、環境汚染が生じないようにし、また、この処理が安価かつ容易にできるようにする。【解決手段】廃棄物減量処理装置は、有機質系廃棄物２６と、酵素が付着した表面積の大きい多数の粒状物２９とを混合するよう作動する混合機３０を備える。有機質系廃棄物２６は塗装設備１から排出される塗料滓２１であり、粒状物２９は廃棄物から成形した木質チップである。有機質系廃棄物２６を混合機３０に投入可能とする投入装置３１と、混合機３０、この混合機３０に投入された有機質系廃棄物２６および粒状物２９の「合計質量」を検出する質量センサ４８と、この質量センサ４８の検出信号を入力し、混合機３０を作動させた状態での時間の経過に伴い「合計質量」が所定値以下になったとき、投入装置３１を作動させて有機質系廃棄物２６を混合機３０に投入させるよう投入装置３１を制御する制御装置４９とを設ける。【選択図】図１
2007160225.tif 000002
【特許請求の範囲】
【請求項１】
有機質系廃棄物と、酵素が付着した表面積の大きい多数の粒状物とを混合するよう作動する混合機を備えたことを特徴とする廃棄物減量処理装置。
【請求項２】
上記有機質系廃棄物が塗装設備から排出される塗料滓であり、上記粒状物が廃棄物から成形した木質チップであることを特徴とする請求項１に記載の廃棄物減量処理装置。
【請求項３】
上記有機質系廃棄物を上記混合機に投入可能とする投入装置と、上記混合機、この混合機に投入された有機質系廃棄物および粒状物の「合計質量」を検出する質量センサと、この質量センサの検出信号を入力し、上記混合機を作動させた状態での時間の経過に伴い上記「合計質量」が所定値以下になったとき、上記投入装置を作動させて上記有機質系廃棄物を混合機に投入させるよう上記投入装置を制御する制御装置とを設けたことを特徴とする請求項１に記載の廃棄物減量処理装置。
【請求項４】
上記質量センサの検出信号を入力して、上記「合計質量」の単位時間当たりの「減量質量」を演算し、この「減量質量」が所定値以下となったとき、警告信号を出力する制御装置を設けたことを特徴とする請求項３に記載の廃棄物減量処理装置。
【発明の詳細な説明】
【技術分野】
【０００１】
本発明は、塗装設備から排出される塗料滓などの有機質系廃棄物を、酵素により減量処理するようにした廃棄物減量処理装置に関するものである。
【背景技術】
【０００２】
自動車の車体などワークを塗装する塗装設備には、下記特許文献１に示されるものがある。この公報のものによれば、ブースの内部において、塗装機により塗料を噴霧させ、この噴霧塗料をワークに付着させることによりこのワークを塗装することが行われる。
【０００３】
また、上記塗装作業の際、ワークに付着しなかった塗料は、ブースの内面を流動する処理水に塗料ミストとして捕捉され、収集タンクに集められる。この収集タンクにおいて、上記塗料ミストはスラッジ状に凝集して、塗料滓として処理水から分離、回収される。そして、上記塗料滓は、廃棄物処理設備において、埋め立て処理されたり、自動車のアンダボデー用塗料としてリサイクル利用されたりしている。
【０００４】
【特許文献１】特開２００５−１７７５５２号公報
【発明の開示】
【発明が解決しようとする課題】
【０００５】
ところで、上記したように、塗料滓を廃棄物処理設備において埋め立て処理すると、これは化学物質であるため、環境汚染を生じるおそれがある。
【０００６】
また、上記塗料滓には多くの化学物質が種々の質量比で混在している。このため、塗料滓をリサイクルして所望の塗料を得ようとすると、極めて煩雑な作業が要求される。よって、このような塗料滓の処理は高価となり、かつ、容易でない。
【課題を解決するための手段】
【０００７】
本発明は、上記のような事情に注目してなされたもので、本発明の目的は、廃棄物である有機質系廃棄物の処理をする場合に、環境汚染が生じないようにし、また、この処理が安価かつ容易にできるようにすることである。
【０００８】
請求項１の発明は、有機質系廃棄物２６と、酵素が付着した表面積の大きい多数の粒状物２９とを混合するよう作動する混合機３０を備えたものである。
【０００９】
請求項２の発明は、請求項１の発明に加えて、上記有機質系廃棄物２６が塗装設備１から排出される塗料滓２１であり、上記粒状物２９が廃棄物から成形した木質チップである。
【００１０】
請求項３の発明は、請求項１の発明に加えて、上記有機質系廃棄物２６を上記混合機３０に投入可能とする投入装置３１と、上記混合機３０、この混合機３０に投入された有機質系廃棄物２６および粒状物２９の「合計質量」を検出する質量センサ４８と、この質量センサ４８の検出信号を入力し、上記混合機３０を作動させた状態での時間の経過に伴い上記「合計質量」が所定値以下になったとき、上記投入装置３１を作動させて上記有機質系廃棄物２６を混合機３０に投入させるよう上記投入装置３１を制御する制御装置４９とを設けたものである。
【００１１】
請求項４の発明は、請求項３の発明に加えて、上記質量センサ４８の検出信号を入力して、上記「合計質量」の単位時間当たりの「減量質量」を演算し、この「減量質量」が所定値以下となったとき、警告信号を出力する制御装置４９を設けたものである。
【００１２】
なお、この項において、上記各用語に付記した符号は、本発明の技術的範囲を後述の「実施例」の項や図面の内容に限定解釈するものではない。
【発明の効果】
【００１３】
本発明による効果は、次の如くである。
【００１４】
請求項１の発明は、有機質系廃棄物と、酵素が付着した表面積の大きい多数の粒状物とを混合するよう作動する混合機を備えている。
【００１５】
即ち、上記発明によれば、有機質系廃棄物と酵素とを接触させようとする場合に、これらを単に混合させるようにしたのではなく、有機質系廃棄物と、酵素が付着した粒状物とを混合機により混合させるようにしたのであり、このため、これら有機質系廃棄物と粒状物との混合はより十分に行われる。よって、上記有機質系廃棄物と、この粒状物に付着している酵素とは、より効果的に接触することから、上記粒状物は上記酵素によって効果的、かつ、迅速に分解されて減量処理される。
【００１６】
この結果、上記有機質系廃棄物の処理によれば、この有機質系廃棄物を埋め立て処理したり、燃焼処理したりすることに比べて、環境汚染の生じることがより確実に防止される。また、上記有機質系廃棄物の処理は、単に、粒状物に付着させた酵素の働きによるものであるため、上記有機質系廃棄物の処理は安価かつ容易にできる。
【００１７】
請求項２の発明は、上記有機質系廃棄物が塗装設備から排出される塗料滓であり、上記粒状物が廃棄物から成形した木質チップである。
【００１８】
このため、悪臭を放ちがちな塗装設備からの有機質系廃棄物である塗料滓が、廃棄物を利用した粒状物の木質チップにより減量処理される。よって、上記塗料滓の処理については環境汚染が生じがちではあるが、上記発明による有機質系廃棄物の処理によれば、環境汚染の生じることが、より確実に防止されると共に、この処理が極めて安価に達成される。
【００１９】
請求項３の発明は、上記有機質系廃棄物を上記混合機に投入可能とする投入装置と、上記混合機、この混合機に投入された有機質系廃棄物および粒状物の「合計質量」を検出する質量センサと、この質量センサの検出信号を入力し、上記混合機を作動させた状態での時間の経過に伴い上記「合計質量」が所定値以下になったとき、上記投入装置を作動させて上記有機質系廃棄物を混合機に投入させるよう上記投入装置を制御する制御装置とを設けている。
【００２０】
このため、上記有機質系廃棄物の処理が自動化されて、この有機質系廃棄物の処理が無駄な時間を浪費することなく、効率的にでき、よって、その分、有機質系廃棄物の処理が大量かつ安価にできる。
【００２１】
請求項４の発明は、上記質量センサの検出信号を入力して、上記「合計質量」の単位時間当たりの「減量質量」を演算し、この「減量質量」が所定値以下となったとき、警告信号を出力する制御装置を設けている。
【００２２】
このため、上記警告信号に基づき、上記混合機内の粒状物の一部もしくは全部を新しいものに交換してやれば、上記有機質系廃棄物に対する酵素の働きを常に良好に維持させることができる。よって、その分、有機質系廃棄物の処理が大量かつ安価にできる。
【発明を実施するための最良の形態】
【００２３】
本発明の廃棄物減量処理装置に関し、廃棄物である有機質系廃棄物の処理をする場合に、環境汚染が生じないようにし、また、この処理が安価かつ容易にできるようにする、という目的を実現するため、本発明を実施するための最良の形態は、次の如くである。
【００２４】
即ち、上記廃棄物減量処理装置は、有機質系廃棄物と、酵素が付着した表面積の大きい多数の粒状物とを混合するよう作動する混合機を備えている。
【実施例】
【００２５】
本発明をより詳細に説明するために、その実施例を添付の図に従って説明する。
【００２６】
図１において、符号１は、自動車の板金製車体などのワークについての塗装設備である。
【００２７】
上記塗装設備１は、上記ワークの表面に付着している油脂類を前処理剤２によって除去（脱脂）するなど、前処理作業を可能とする前処理ブース３と、この前処理ブース３を通過したワークに対し、防錆用の塗料４を噴霧して下塗り作業を可能とする下塗りブース５と、この下塗りブース５を通過したワークに対し、中塗り用の塗料６を噴霧して中塗り作業を可能とする中塗りブース７と、この中塗りブース７を通過したワークに対し、上塗り用の塗料８を噴霧して上塗り作業を可能とする上塗りブース９とを備えている。
【００２８】
上記前処理剤２には、脱脂剤と、リン酸鉄系（リン酸第２鉄）やリン酸亜鉛系の化成剤とが含有されている。また、上記各塗料４，６，８はエポキシエステル系やアミノアルキド系などであって、上記下塗りや中塗りなど、その用途に従い化学的性質は互いに異なっている。
【００２９】
上記前処理ブース３における前処理作業後の前処理剤２を収集装置１２である収集ポンプにより収集する収集タンク１３と、この収集タンク１３に収集された前処理剤２を加圧する圧送ポンプ１４と、この圧送ポンプ１４から送り出された前処理剤２から脱液をして前処理剤滓１５を回収する回収装置１６であるフィルタプレスと、上記前処理剤滓１５を貯留する貯留タンク１７とが設けられている。
【００３０】
上記下塗りブース５における下塗り作業の際、ワークに付着しなかった塗料４は、上記下塗りブース５の内面を流動する処理水１８に塗料ミストとして捕捉される。そして、この塗料４の塗料ミストと処理水１８とを収集する収集タンク１９と、この収集タンク１９における処理水１８を上記下塗りブース５内に循環させる循環装置２０である循環ポンプと、上記収集タンク１９において、スラッジ状に凝集した塗料４を塗料滓２１として回収する回収装置２２と、この回収装置２２により回収された塗料滓２１を貯留する貯留タンク２３とが設けられている。
【００３１】
上記中塗りブース７における中塗り作業の際、ワークに付着しなかった塗料６は、上記中塗りブース７の内面を流動する処理水１８に塗料ミストとして捕捉される。また、上記上塗りブース９における上塗り作業の際、ワークに付着しなかった塗料６は、上記上塗りブース９の内面を流動する処理水１８に塗料ミストとして捕捉される。
【００３２】
そして、上記各塗料６，８の塗料ミストと処理水１８とを共に収集する収集タンク１９と、前記下塗りブース５に関連するものと同構成の循環装置２０、塗料滓２１、回収装置２２、および貯留タンク２３とが設けられている。
【００３３】
有機質系廃棄物２６に相当する上記前処理剤滓１５における油脂と、上記各塗料滓２１とをそれぞれ減量処理するための廃棄物減量処理装置２７が設けられている。
【００３４】
上記廃棄物減量処理装置２７は、上記有機質系廃棄物２６である前処理剤滓１５と、酵素が付着した表面積の大きい多数の粒状物２９とを収容して、これら前処理剤滓１５と粒状物２９とを混合するよう作動する混合機３０と、この混合機３０に対し上記貯留タンク１７内の前処理剤滓１５を単位時間当たり所定量（体積）だけ投入可能とする投入装置３１と、上記粒状物２９を貯留する貯留タンク３２と、この貯留タンク３２内の粒状物２９を単位時間当たり所定量（体積）だけ投入可能とする投入装置３３とを備えている。
【００３５】
上記酵素は、ジアスターゼ、アミラーゼ、ペプシンなどである。また、上記粒状物２９は、間伐材や建築廃材などの木質廃棄物を破砕機により破砕して木屑（木質チップ）としたものであり、概ね０．２−２０ｍｍ程度の粒状体である。また、上記投入装置３１と投入装置３３とは、アクチュエータを有するロータリーバルブ、スクリューコンベア、およびゲート弁などの単体、もしくは複合体により構成される。
【００３６】
図２において、上記混合機３０は作業台３６上に支持される架台３７と、水平な軸心３８を有する円筒形状のケーシング３９と、このケーシング３９を貫通して上記軸心３８回りに回転Ｒ可能となるよう上記架台３７に支持される回転軸４０と、上記ケーシング３９に収容され、上記回転軸４０から径方向外方に向けて突設される複数の回転アーム４１と、上記架台３７に支持され、上記回転軸４０を回転Ｒ駆動可能とする減速電動機４２とを備えている。
【００３７】
上記混合機３０のケーシング３９の上部には開口４３が形成されている。上記ケーシング３９にヒンジ４４により枢支されて上記開口４３を開閉可能に閉じる蓋４５が設けられている。上記投入装置３１を通し前処理剤滓１５を上記混合機３０内に投入可能にさせると共に、上記投入装置３３を通し粒状物２９を上記混合機３０内に投入可能にさせる投入シュート４６が上記蓋４５に取り付けられている。この蓋４５から上記投入シュート４６を取り外せば、上記蓋４５の開動作が可能とされる（図２中二点鎖線）。また、ケーシング３９の外面には、上記混合機３０内の有機質系廃棄物２６と粒状物２９とを加熱するヒーター４７が取り付けられている。
【００３８】
上記混合機３０のケーシング３９に有機質系廃棄物２６を投入（例えば３００ｋｇ）すると共に、上記粒状物２９を投入（例えば３０ｋｇ）して、上記減速電動機４２の駆動により上記回転軸４０と共に各回転アーム４１を回転Ｒさせることにより混合機３０を作動させる。すると、上記各回転アーム４１により上記有機質系廃棄物２６と粒状物２９とが攪拌混合される。すると、これら粒状物２９に付着させられている酵素の作用と上記ヒーター４７による加熱とにより、上記有機質系廃棄物２６が効果的に水とＣＯ２とに分解され、この有機質系廃棄物２６が減量される。上記混合機３０の作動は、連続運転、間欠運転のうちのいずれでもよい。
【００３９】
上記混合機３０、この混合機３０に投入された有機質系廃棄物２６、および粒状物２９の「合計質量」を検出するロードセルである質量センサ４８と、この質量センサ４８の検出信号を入力し、上記混合機３０を作動させた状態での時間の経過（例えば２４時間）に伴い、上記「合計質量」が所定値以下（例えば３１５ｋｇ以下）になったとき、上記投入装置３１を作動させて上記有機質系廃棄物２６を混合機３０に所定量（例えば１５ｋｇ）だけ投入させるよう上記投入装置３１を電子的に制御する電子的な制御装置４９とが設けられている。
【００４０】
上記混合機３０は、通常、６０日程度連続作動が可能である。この作動中、上記制御装置４９は、上記質量センサ４８の検出信号を入力して、上記「合計質量」の単位時間当たりの「減量質量」を所定時間ピッチで演算し、この「減量質量」が所定値以下（例えば０．４ｋｇ／ｈ以下）となったとき、上記制御装置４９が警告信号を出力することとされている。また、この警告信号を入力して、警告音と警告光のうち少なくともいずれか一方を発する警告装置５０が設けられている。
【００４１】
上記警告装置５０により警告が発せられたときには、上記粒状物２９の酵素の働きが不十分になったことを示している。このため、上記混合機３０内の有機質系廃棄物２６と粒状物２９との一部もしくは全部を一旦排出し、新しい粒状物２９を投入すればよい。
【００４２】
上記廃棄物減量処理装置２７は、上記下塗りブース５と、中塗りブース７および上塗りブース９とにも同様に適用されている。このため、図面に共通の符号を付してその説明を省略する。なお、上記廃棄物減量処理装置２７を単一のみ設け、この廃棄物減量処理装置２７により、上記前処理ブース３の前処理剤滓１５と、下塗りブース５、中塗りブース７、および上塗りブース９の各塗料滓２１とを一括処理するようにしてもよい。
【００４３】
上記構成によれば、有機質系廃棄物２６と、酵素が付着した表面積の大きい多数の粒状物２９とを混合するよう作動する混合機３０を備えている。
【００４４】
即ち、上記構成によれば、上記有機質系廃棄物２６と酵素とを接触させようとする場合に、これらを単に混合させるようにしたのではなく、有機質系廃棄物２６と、酵素が付着した粒状物２９とを混合機３０により混合させるようにしたのであり、このため、これら有機質系廃棄物２６と粒状物２９との混合はより十分に行われる。よって、上記有機質系廃棄物２６と、この粒状物２９に付着している酵素とは、より効果的に接触することから、上記粒状物２９は上記酵素によって効果的、かつ、迅速に分解されて減量処理される。
【００４５】
この結果、上記有機質系廃棄物２６の処理によれば、この有機質系廃棄物２６を埋め立て処理したり、燃焼処理したりすることに比べて、環境汚染の生じることがより確実に防止される。また、上記有機質系廃棄物２６の処理は、単に、粒状物２９に付着させた酵素の働きによるものであるため、上記有機質系廃棄物２６の処理は安価かつ容易にできる。
【００４６】
また、前記したように、有機質系廃棄物２６が塗装設備１から排出される塗料滓２１であり、上記粒状物２９が廃棄物から成形した木質チップである。
【００４７】
このため、悪臭を放ちがちな塗装設備１からの有機質系廃棄物２６である塗料滓２１が、廃棄物を利用した粒状物２９の木質チップにより減量処理される。よって、上記塗料滓２１の処理については環境汚染が生じがちではあるが、上記構成による有機質系廃棄物２６の処理によれば、環境汚染の生じることが、より確実に防止されると共に、この処理が極めて安価に達成される。
【００４８】
また、前記したように、有機質系廃棄物２６を上記混合機３０に投入可能とする投入装置３１と、上記混合機３０、この混合機３０に投入された有機質系廃棄物２６および粒状物２９の「合計質量」を検出する質量センサ４８と、この質量センサ４８の検出信号を入力し、上記混合機３０を作動させた状態での時間の経過に伴い上記「合計質量」が所定値以下になったとき、上記投入装置３１を作動させて上記有機質系廃棄物２６を混合機３０に投入させるよう上記投入装置３１を制御する制御装置４９とを設けている。
【００４９】
このため、上記有機質系廃棄物２６の処理が自動化されて、この有機質系廃棄物２６の処理が無駄な時間を浪費することなく、効率的にでき、よって、その分、有機質系廃棄物２６の処理が大量かつ安価にできる。
【００５０】
また、前記したように、質量センサ４８の検出信号を入力して、上記「合計質量」の単位時間当たりの「減量質量」を演算し、この「減量質量」が所定値以下となったとき、警告信号を出力する制御装置４９を設けている。
【００５１】
このため、上記警告信号に基づき、上記混合機３０内の粒状物２９の一部もしくは全部を新しいものに交換してやれば、上記有機質系廃棄物２６に対する酵素の働きを常に良好に維持させることができる。よって、その分、有機質系廃棄物２６の処理が大量かつ安価にできる。
【００５２】
なお、上記有機質系廃棄物２６は、塗料以外の複合化学物質であってもよい。また、上記有機質系廃棄物２６にはリグニンが含まれている場合があり、このリグニンは発酵阻害物質として知られている。そこで、上記有機質系廃棄物２６を混合機３０に投入する以前に上記リグニンを除去する工程を設けてもよい。また、上記粒状物２９に付着させる酵素に、リグニン分解酵素を積極的に含有させるようにしてもよい。
【００５３】
また、上記混合機３０の回転軸４０の軸心３８は縦向きであってもよい。また、上記投入装置３１を作動させる制御装置４９と上記警告信号を出力する制御装置４９とを互いに別体にしてもよい。また、上記警告信号が出力されたとき、この警告信号により、上記混合機３０内の有機質系廃棄物２６と粒状物２９との全量を、一旦、自動的に排出し、新しい粒状物２９を投入装置３３により混合機３０に自動的に投入して、この混合機３０の作動を自動継続させるようにしてもよい。
【図面の簡単な説明】
【００５４】
【図１】廃棄物減量処理装置を含む塗装設備の全体簡略線図である。
【図２】混合機の側面図である。
【符号の説明】
【００５５】
１    塗装設備
１５  前処理剤滓
２１  塗料滓
２６  有機質系廃棄物
２７  廃棄物減量処理装置
２９  粒状物
３０  混合機
３１  投入装置
３２  貯留タンク
３３  投入装置
４８  質量センサ
４９  制御装置
５０  警告装置
Ｒ    回転
【図１】
2007160225.tif 000003
【図２】
2007160225.tif 000004